(57)【要約】【課題】車両の走行経路の近傍に設置された路上機との通信のために車両に搭載される路車間通信用の車載器において、走行中でのユーザによる操作を誘発することなくドライバーにとって有用な情報を提供する。【解決手段】車載器１は、車両の走行経路の近傍に設置された路上機３との通信のために車両に搭載される路車間通信用の車載器であり、無線部１１が、路上機３から送信された報知情報を受信可能であり、記憶部１７が、無線部１１が受信した報知情報を記憶可能であり、表示部１８および音声出力部２３が報知情報を報知可能である。全体制御部１３が、路上機３からの報知情報に含まれる通知内容および通知内容と現在状況情報とに基づき、記憶部１７が記憶する報知情報を報知するための報知条件が成立しているか否かを判断する。報知条件が成立していると判断された場合には、全体制御部１３が表示部１８および音声出力部２３を制御して報知情報を報知させる。【選択図】図４
2008158887.tif 000002
【特許請求の範囲】
【請求項１】
車両の走行経路の近傍に設置された路上機との通信のために車両に搭載される路車間通信用の車載器であって、
前記路上機から送信された報知情報を受信可能な受信手段と、
前記受信手段が受信した報知情報を記憶可能な記憶手段と、
前記記憶手段が記憶する報知情報を報知するための報知条件が成立しているか否かを判断する判断手段と、
前記報知情報を報知可能な報知手段と、
前記判断手段によって前記報知条件が成立していると判断された場合に前記報知手段を制御して前記報知情報を報知させる報知制御手段と、
を備え、
前記報知情報には少なくとも報知内容および報知内容を報知するための報知要件が含まれ、
車両の現在状況を示す現在状況情報を取得可能な現在状況情報取得手段を備え、
前記判断手段は、前記報知情報に含まれる報知内容および報知要件と前記現在状況情報取得手段によって取得された現在状況情報とに基づき、前記報知条件が成立しているか否かを判断すること
を特徴とする車載器。
【請求項２】
請求項１に記載の車載器において、
前記報知要件には、少なくとも前記報知情報を報知する時刻を示す報知時刻情報および前記報知情報を報知する位置を示す報知位置情報が含まれ、
前記現在状況情報には、現在時刻を示す現在時刻情報および車両の現在位置を示す現在位置情報が含まれること
を特徴とする車載器。
【請求項３】
請求項１に記載の車載器において、
前記報知要件には、少なくとも前記報知情報を報知する時刻を示す時刻情報、前記報知情報を報知する位置を示す位置情報および前記報知情報を報知する際の車両の状態を示す車両状態情報が含まれ、
前記現在状況情報には、現在時刻を示す現在時刻情報、車両の現在位置を示す現在位置情報、および車両の現在の状態を示す現在状態情報が含まれること
を特徴とする車載器。
【請求項４】
請求項３に記載の車載器において、
前記車両状態情報には、車両のイグニッション状態の変化を示す情報が含まれ、前記現在状況情報の前記現在状態情報には、車両のイグニッション状態の変化を示す情報が含まれることを特徴とする車載器。
【請求項５】
請求項４に記載の車載器において、
前記報知情報を記憶可能な不揮発性メモリを備え、
前記判断手段は、前記報知情報の前記報知要件に含まれる車両状態情報としての車両のイグニッション状態の変化を示す情報と、前記現在状況情報の前記現在状態情報としての車両のイグニッション状態の変化を示す情報とに基づき、前記報知条件が成立したか否かを判断し、
前記判断手段によって前記報知条件が成立したと判断された場合には、前記報知情報を不揮発性メモリに記憶させる第一の記憶制御手段を備えること
を特徴とする車載器。
【請求項６】
請求項５に記載の車載器において、
前記報知要件には、車両のイグニッションの状態がオフからオンになった場合に前記報知条件が成立することが含まれており、
前記判断手段は、前記現在状況情報の前記現在状態情報としての車両のイグニッション状態の変化を示す情報が車両のイグニッションの状態がオフからオンになったことを示している場合に前記報知条件の少なくとも一部が成立したと判断すること
を特徴とする車載器。
【請求項７】
請求項６に記載の車載器において、
前記報知制御手段は、前記現在状況情報の前記現在状態情報としての車両のイグニッション状態の変化を示す情報に基づいて前記報知条件が成立したと前記判断手段によって判断された場合には、前記報知手段を制御して前記報知情報を報知させることを特徴とする車載器。
【請求項８】
請求項１〜請求項７の何れかに記載の車載器において、
前記報知情報には有効期限を示す有効期限情報が含まれており、
前記記憶手段が記憶する前記報知情報に含まれる有効期限情報を参照して、その報知情報の有効期限が経過しているか否かを判断し、前記報知情報の有効期限が経過していると判断された場合には、その報知情報を前記記憶手段から消去する第二の記憶制御手段を備えることを特徴とする車載器。
【請求項９】
請求項１〜請求項８の何れかに記載の車載器において、
前記報知情報には報知回数を示す報知回数情報が含まれており、
前記記憶手段が記憶する前記報知情報に含まれる報知回数情報を参照して、その報知情報が報知回数以上報知されているか否かを判断し、その報知情報が報知回数以上報知されていると判断された場合には、その報知情報を前記記憶手段から消去する第三の記憶制御手段を備えることを特徴とする車載器。
【請求項１０】
請求項１〜請求項９の何れかに記載の車載器において、
前記報知情報には報知すべきエリアを示す情報提供エリア情報が含まれており、
前記報知情報に含まれる情報提供エリア情報を参照して、車両が情報提供エリア内に位置するか否かを判断し、車両が情報提供エリア内に位置しないと判断された場合にはその報知情報を前記記憶手段から消去する第四の記憶制御手段を備えることを特徴とする車載器。
【請求項１１】
請求項１〜請求項１０の何れかに記載の車載器において、
カードを挿入可能なカード挿入部と、
前記カード挿入部に挿入されたカードの種別がＤＳＲＣカードであるか否かを判断するカード種別判断手段と、を備え、
前記報知制御手段は、前記カード挿入部に挿入されたカードがＤＳＲＣカードであると前記カード種別判断手段によって判断された場合には、前記ＤＳＲＣカードの代わりにＥＴＣカードを前記カード挿入部に挿入するよう促す旨を示す情報を、前記報知手段を制御して報知させること
を特徴とする車載器。
【請求項１２】
請求項１〜請求項１１の何れかに記載の車載器において、
前記車両状態情報には車両の上限速度値を示す情報が含まれ、前記現在状況情報の前記現在状態情報には車両の速度値を示す情報が含まれ、
前記判断手段は、前記現在状況情報の前記現在状態情報としての車両の速度値が前記車両状態情報としての車両の上限速度値以下である場合に前記報知条件の少なくとも一部が成立したと判断すること
を特徴とする車載器。
【請求項１３】
請求項１〜請求項１２の何れかに記載の車載器において、
前記報知情報には送信元である前記路上機の設置場所を示す設置場所情報が含まれており、
前記判断手段は、前記報知情報に含まれる設置場所情報を参照して、前記路上機の設置場所が一般道または側道であるか否かを判断し、前記路上機の設置場所が一般道または側道であると判断された場合に、前記報知条件の少なくとも一部が成立したと判断すること
を特徴とする車載器。
【請求項１４】
請求項１〜請求項１３の何れかに記載の車載器において、
前記受信手段が前記報知情報を受信した場合に、前記報知情報に関連する関連情報を送信するよう要求する旨を前記報知情報の送信元である前記路上機に対して送信する送信手段を備えることを特徴とする車載器。
【請求項１５】
請求項１〜請求項１４の何れかに記載の車載器において、
前記報知制御手段は、前記判断手段によって前記報知条件が成立していると判断された場合には、当該車載器の外部構成を利用して前記報知情報を報知することを特徴とする車載器。
【発明の詳細な説明】
【技術分野】
【０００１】
本発明は、車両の走行経路の近傍に設置された路上機との通信のために車両に搭載される路車間通信用の車載器において、走行中でのユーザによる操作を誘発することなく、ユーザにとって有用な情報を提供する技術に関する。
【背景技術】
【０００２】
従来より、車両の走行経路の近傍に設置された路上機との通信のために車両に搭載される路車間通信用の車載器が知られている。
このような車載器の中には、ユーザがＩＣカードソケットからＩＣカードを抜き忘れて降車した場合には、カード抜き取り検出部がカードの抜き取りを監視して、窃盗者がＩＣカードを抜き取った場合には、音声出力部から大音量の警告音を発生させる車載器がある（例えば、特許文献１参照。）。このような車載器によれば、窃盗者はＩＣカードを取らずに逃走することになり、窃盗者が大音量の警告音にもかかわらず、ＩＣカードを盗んだ場合には、無線通報部からクレジット会社または事業者またはＩＣカード所有者の携帯端末に盗難が通報されるので、ＩＣカードの使用停止などの措置をすぐに取ることができる。つまり、ユーザがＩＣカードをＥＴＣ車載器から抜き取るのを忘れた場合のＩＣカードの盗難を防止することができるとされている。
【０００３】
ところで、上述のような車載器の中には、ＥＴＣゲートに向かう手前に設置されたいわゆる「予告アンテナ」や「お知らせアンテナ」などの各種アンテナからの信号を受信した際にカードの挿入忘れに対する注意喚起を案内する車載器がある。また、ＳＡ／ＰＡ等でカードを抜いた場合を想定し、ＳＡ／ＰＡ出口にも上述の各種アンテナを設置し、カードの挿入忘れ防止施策が行われている。また、ＤＳＲＣでは、受信した情報を蓄積(保持)し、かつ、情報提供側で設定する表示位置に関する情報を用いることで適切なタイミングで情報提供を行うことが検討されている。この機能を利用することで、指定する座標を中心とした情報提供位置、車両の指定方向（方位）、により情報提供位置を判断することが可能である。
【特許文献１】特開２００３−１３２３８７号公報（第３頁、図１）
【発明の開示】
【発明が解決しようとする課題】
【０００４】
しかし、上述のような車載器においては、次のような課題があった。すなわち、上述のような各種アンテナを利用する手法においては、無線通信によって車載器から取得した情報を元に、ＥＴＣの決済に必要な情報存在するかどうか、つまりＥＴＣカードが正しく装着されているかをその都度判断している。このため、路側との通信を行った直後での注意喚起となっている。しかしながら、上述の手法では、カードの有無判定を路側と通信する毎にしか行わないため、多くの場所でカードの有無判定を行うためには、多数の各種アンテナの設置が必要となる。また、上述の各種アンテナは、通信エリアの関係上、道路上に設置される場合が多く、走行中での注意喚起となる。そのため、走行中でのユーザの操作を誘発するものであり、危険な操作につながりかねないといった課題があった。
【０００５】
また、上記の蓄積情報を利用する場合、情報提供エリア（指定する座標を中心とした情報提供位置）に入ったことをトリガに通知を行うため、不特定多数の意図しないユーザへの通知が行われる可能性があった。例えば、情報提供エリアをＳＡ／ＰＡとした場合、ユーザがＳＡ／ＰＡでカードを抜く前に通知を行うこととなり、出発前にカードの有無を確認したいという目的を達成することができないといった課題があった。
【０００６】
本発明は、このような不具合に鑑みなされたものであり、その目的とするところは、車両の走行経路の近傍に設置された路上機との通信のために車両に搭載される路車間通信用の車載器において、走行中でのユーザによる操作を誘発することなく、ドライバーにとって有用な情報を提供する技術を提供することにある。
【課題を解決するための手段】
【０００７】
上記課題を解決するためになされた請求項１に係る車載器は、路上機からの報知情報に含まれる報知内容・報知要件と車両の現在状況を示す現在状況情報とに基づいて報知条件が成立しているか否かを判断し、報知条件が成立していると判断された場合に報知情報を報知させることを特徴とする。
【０００８】
具体的には、上述の車載器（１：この欄においては、発明に対する理解を容易にするため、必要に応じて「発明を実施するための最良の形態」欄で用いた符号を付すが、この符号によって請求の範囲を限定することを意味するものではない。）は、車両の走行経路の近傍に設置された路上機（３）との通信のために車両に搭載される路車間通信用の車載器であり、受信手段（１１）が、路上機から送信された報知情報を受信可能であり、記憶手段（１７）が、受信手段が受信した報知情報を記憶可能であり、報知手段（１８，２３，２３ａ）が、報知情報を報知可能である。判断手段（１３）が、記憶手段が記憶する報知情報を報知するための報知条件が成立しているか否かを判断する。具体的には、上述の報知情報には少なくとも報知内容および報知内容を報知するための報知要件が含まれ、現在状況情報取得手段（２０）が車両の現在状況を示す現在状況情報を取得可能であり、判断手段が、報知情報に含まれる報知内容および報知要件と現在状況情報取得手段によって取得された現在状況情報とに基づき、報知条件が成立しているか否かを判断する。判断手段によって報知条件が成立していると判断された場合には、報知制御手段（１３）が、報知手段を制御して報知情報を報知させる。
【０００９】
このように構成された本発明によれば、例えばＳＡ／ＰＡの入口付近などの道路上に路上機を少数設置すれば、多数の各種アンテナ（路上機）を道路上に設置しなくても、走行中でのユーザによる操作を誘発することなく、ユーザにとって有用な情報を提供することができる。
【００１０】
この場合、上述の報知要件には、少なくとも報知情報を報知する時刻を示す報知時刻情報および報知情報を報知する位置を示す報知位置情報が含まれ、現在状況情報には、現在時刻を示す現在時刻情報および車両の現在位置を示す現在位置情報が含まれることが考えられる（請求項２）。このように報知要件に時刻情報および位置情報を含めることにより、次のような作用効果を奏する。すなわち、上述の報知要件の「時刻」に、報知情報をユーザへ報知すべき時間帯や報知開始時間、報知停止時間を含めることで、意図しないタイミングでのユーザへの通知を排除することができる。例えば、経路上店舗で「１５：００〜１６：００」にタイムサービスを行っている場合に、通知すべき時間帯として「１４：３０〜１６：００」と設定すれば、時刻１２：００に当該地域に車両が進入した場合にはユーザへの無駄な通知を回避できる。また、時刻１６：１０に当該地域に車両が進入した場合などのタイムサービス終了後の無駄な通知を回避することができる。なお、時刻は「夜間」とかの時間帯の表現形式を変えたものであっても良い。
【００１１】
また、上述の報知要件には、少なくとも報知情報を報知する時刻を示す報知時刻情報、報知情報を報知する位置を示す報知位置情報、および報知情報を報知する際の車両の状態を示す車両状態情報が含まれ、現在状況情報には、現在時刻を示す現在時刻情報、車両の現在位置を示す現在位置情報、および車両の現在の状態を示す現在状態情報が含まれることが考えられる（請求項３）。このように報知要件に車両状態情報を含めることにより、次のような作用効果を奏する。すなわち、上述の報知要件の「車両状態」に「照度計、気圧計、温度計、雨センサ、ワイパー、ウインカー、ライト、ハンドル操舵角、速度、シフトレバー、フットブレーキ、サイドブレーキ、タイヤ空気圧、エアコンスイッチ、路面センサなどの各種センサ情報、イグニッションの状態（請求項４）、過去のＥＴＣゲート通過履歴、等」を含めることで、車両状態に合わせて適切にユーザ通知を行うことができる。例えば、「ライトがオフの時」にのみ通知という要件を路側から報知した場合、トンネルの入口付近で、特定時間帯でライトがオフの時に「ライトをオンにしてください」などのユーザへの通知（注意喚起・情報提供）を行うことができる。また、「雨を検知した場合で、速度が一定以上で、ハンドルが一定以上きられた時」に通知という要件を路側から報知した場合、雨天の走行上危険な場合にのみ通知を行うことができる。さらに、「現在高速道路上に位置し、入口でＥＴＣを利用した場合」かつ「イグニッションをオンした場合」かつ「ＥＴＣカードが挿入されていない場合」に通知という要件を路側から報知した場合、ＥＴＣカードの挿入忘れを適切に通知することができる。
【００１２】
さらに、車両状態が成立した場合に報知情報を不揮発メモリに記憶することが考えられる。具体的には、請求項５のように、報知情報を記憶可能な不揮発性メモリを備え、判断手段が、報知情報の報知要件に含まれる車両状態情報としての車両のイグニッション状態の変化を示す情報と、現在状況情報の現在状態情報としての車両のイグニッション状態の変化を示す情報とに基づき、報知条件が成立したか否かを判断し、判断手段によって報知条件が成立したと判断された場合に報知情報を不揮発性メモリに記憶させる第一の記憶制御手段を備えることが考えられる。このように構成すれば、不揮発性メモリは有限であるためにその情報保存量には限界があるが、ユーザへ通知すべき情報のうち優先度の高いものを保存し、優先度の低いものから破棄することができる。例えば、「雨を検知した場合」に不揮発性メモリに保存とすれば、雨天のみの情報を有効に保存することができる。また、「現在高速道路上に位置する場合」「入口でＥＴＣを利用した場合」等を不揮発性メモリへの保存条件とすれば、高速道路上にいないユーザやＥＴＣを使っていないユーザなどがＥＴＣに関連する無駄な情報を保持することを回避することができる。
【００１３】
この場合、車両のイグニッションの状態がオフからオンになった場合に条件成立と判断することが考えられる。具体的には、請求項６のように、報知要件には、車両のイグニッションの状態がオフからオンになった場合に報知条件が成立することが含まれており、判断手段は、現在状況情報の前記現在状態情報としての車両のイグニッション状態の変化を示す情報が車両のイグニッションの状態がオフからオンになったことを示している場合に報知条件の少なくとも一部が成立したと判断することが考えられる。このようにすれば、事前にユーザに通知すべき情報を蓄積しておき、情報提供エリアに入ったことのみをトリガにユーザへの注意喚起を行うのではなく、ＡＣＣオンやパーキングブレーキを戻す操作等のユーザ操作をトリガにカードの有無を検出し、カードが無い場合にユーザへの注意喚起を行う。また、車両を始動しようとした際に、発進前に予めユーザへ通知する。例えば、サービスエリアで休憩する際に、カードを抜いて車両から離れた場合に、車に戻ってもカード挿入を忘れないように、注意喚起をすることができる。なおこの場合には、発進前の安全な状態でカード挿入を促すことができる。このことにより、ユーザが出発する意図がある時にのみ、注意喚起を行うことができ、煩わしさの防止・危険操作の防止を図ることができる。また、事前に情報を得るため、事前に複数の情報を蓄積することができ、ＳＡ／ＰＡ毎にいわゆる「予告アンテナ」や「お知らせアンテナ」などの各種アンテナを設置する必要がなく、したがって、情報提供用の路側機の設置数を低減できる。
【００１４】
また、上述の報知情報は不揮発性メモリに保存されるため、ＡＣＣオフ／オン後でも上記要件が成立した場合には、ユーザへの通知（注意喚起・情報提供）を行うことができる。なお、不揮発性メモリへの報知情報の保存については、報知情報を受信する毎にその都度保存を実行するようにしても良いし、ＡＣＣオフ等の当該車載器の電源がオフとなったことを検知した場合に保存を実行するようにしても良い。また、路側から不揮発性メモリへ保存の実行タイミングを指定する仕組みとしても良い（図５参照）。
【００１５】
また、上述のように車両のイグニッションの状態がオフとなった場合に報知情報を報知することが考えられる。具体的には、請求項７のように、報知制御手段が、現在状況情報の現在状態情報としての車両のイグニッション状態の変化を示す情報に基づいて報知条件が成立したと判断手段によって判断された場合には、報知手段を制御して報知情報を報知させることが考えられる。このように構成すれば、ユーザへの注意喚起だけでなく、ＳＡ／ＰＡ毎のサービス情報の提供にも使用することができる。つまり、予め得られる情報に表示時間を限定するようなパラメータを用意すれば、時間限定のタイムサービスなどの情報提供も可能となる。
【００１６】
ところで、有効期限が過ぎた報知情報を記憶手段から消去することが考えられる。具体的には、請求項８のように、報知情報には有効期限を示す有効期限情報が含まれており、記憶手段が記憶する報知情報に含まれる有効期限情報を参照して、その報知情報の有効期限が経過しているか否かを判断し、その報知情報の有効期限が経過していると判断された場合には、その報知情報を記憶手段から消去する第二の記憶制御手段を備えることが考えられる。このように構成すれば、報知情報を記憶するためのメモリ容量を軽減することができる。また、路側から報知される情報に有効期限を設けることで、不要となった情報を破棄することができる。
【００１７】
ところで、予め設定された報知回数以上報知された報知情報を記憶手段から消去することが考えられる。具体的には、請求項９のように、報知情報には報知回数を示す報知回数情報が含まれており、記憶手段が記憶する報知情報に含まれる報知回数情報を参照して、その報知情報が報知回数以上報知されているか否かを判断し、その報知情報が報知回数以上報知されていると判断された場合には、その報知情報を記憶手段から消去する第三の記憶制御手段を備えることが考えられる。なお、上述の報知回数については、路側から車載器に通知してもよいし、車載器にて予め設定したり、情報の重要度に合わせて設定したりしてもよい。このように構成すれば、請求項７の構成とは異なり、有効期限に関係なく情報の管理を行うことができる。また、報知情報を記憶するためのメモリ容量を軽減することができる。
【００１８】
さらに、報知情報の情報提供エリア内に車両が位置しない場合に報知情報を記憶手段から消去することが考えられる。具体的には、請求項１０のように、報知情報には報知すべきエリアを示す情報提供エリア情報が含まれており、報知情報に含まれる情報提供エリア情報を参照して、車両が情報提供エリア内に位置するか否かを判断し、車両が情報提供エリア内に位置しないと判断された場合にはその報知情報を前記記憶手段から消去する第四の記憶制御手段を備えることが考えられる。このように構成すれば、報知情報を記憶するためのメモリ容量を軽減することができる。
【００１９】
また、当該車載器に挿入されているカードの種別がＤＳＲＣカードである場合には、ＥＴＣカードならではの各種サービスを享受することができない。
そこで、当該車載器に挿入されているカードの種別がＤＳＲＣカードである場合にＥＴＣカードへの変更を促すことが考えられる。具体的には、請求項１１のように、カードを挿入可能なカード挿入部と、カード挿入部に挿入されたカードの種別がＤＳＲＣカードであるか否かを判断するカード種別判断手段と、を備え、カード挿入部に挿入されたカードがＤＳＲＣカードであるとカード種別判断手段によって判断された場合には、報知制御手段が、ＤＳＲＣカードの代わりにＥＴＣカードをカード挿入部に挿入するよう促す旨を示す情報を、報知手段を制御して報知させることが考えられる。このように構成すれば、当該車載器に挿入されているカードがＥＴＣを利用できない「ＤＳＲＣカード」の場合に、例えば「ＤＳＲＣCカードが入っているので、ＥＴＣカード入れて下さい」などと通知することで、ＥＴＣを利用するよう促すことも可能である。
【００２０】
この場合、高速道路（有料道路）の入口でＥＴＣゲートを使用したことを記憶しておくことを組み合わせれば、ＥＴＣを利用しないユーザへの意図しない注意喚起を防止することも可能である。
【００２１】
また、車両の速度が所定値以下である場合に報知情報を報知することが考えられる。具体的には、請求項１２のように、車両状態情報には車両の上限速度値を示す情報が含まれ、現在状況情報の現在状態情報には車両の速度値を示す情報が含まれ、判断手段は、現在状況情報の現在状態情報としての車両の速度値が車両状態情報としての車両の上限速度値以下である場合に報知条件の少なくとも一部が成立したと判断することが考えられる。このように構成すれば、走行中でもより安全な状態でのユーザ操作を促すことが可能となる。
【００２２】
ところで、一般道で受信した報知情報を高速道路に入る前に報知することが考えられる。具体的には、請求項１３のように、報知情報には送信元である前記路上機の設置場所を示す設置場所情報が含まれており、判断手段は、報知情報に含まれる設置場所情報を参照して、路上機の設置場所が一般道または側道であるか否かを判断し、路上機の設置場所が一般道または側道であると判断された場合に報知条件の少なくとも一部が成立したと判断することが考えられる。このように構成すれば、報知条件が成立した場合に報知制御手段が報知手段を制御して報知情報を報知することができ、例えば一般道への「予告アンテナ」や「お知らせアンテナ」の電波漏れによる誤通知を防止したり、情報提供用の路上機の設置数を低減したりすることに貢献できる。
【００２３】
また、路側から報知される情報に対し、その通信や次回通信で詳細情報を路側に要求することが考えられる。具体的には、請求項１４のように、受信手段が報知情報を受信した場合に、報知情報に関連する関連情報を送信するよう要求する旨をその報知情報の送信元である路上機に対して送信する送信手段を備えることが考えられる。なお、関連情報には、報知情報に関するより詳細な情報も含まれる。このように構成すれば、ユーザへの通知（注意喚起・情報提供）情報の詳細を路側から受信して報知することで、よりきめ細やかなサービスを提供することができる。
【００２４】
さらに、上述のユーザへの通知はナビ画面・音声等を基本とするが、他メディアを使用してもよい。具体的には、請求項１５のように、報知制御手段が、判断手段によって報知条件が成立していると判断された場合には、当該車載器の外部構成を利用して報知情報を報知することが考えられる。なおこの場合、注意喚起・情報提供だけでなく、ＡＭラジオ、ＦＭラジオ、ＴＶ、車両機器等のデバイス制御を行ってもよい。
【００２５】
このように構成すれば、例えばＤＳＲＣ（ＶＩＣＳ）の情報配信（蓄積情報）については予め他メディアへのリンクのポータル情報を提供することで、当該メディアへのジャンプを可能とする。例えば、高速道路走行中に、ＡＭラジオによる高速道路情報（１６２０Ｈｚ）の放送区域がある場合は、その情報をＤＳＲＣであらかじめ配信する。放送区域内に車両が進入した場合に、ＡＭラジオをオンし、当該チャネルへのチューニングを行うことで、ユーザに放送を聞かせることができ、利便性の向上につながる。また、放送のタイミングをタグ情報（時間指定）として提供することで、上り・下り車線のみの情報等ユーザが必要とする情報のみに限定して、ユーザに聞かせることができる。（当然ながら、ユーザに常に聞かせるか否かは選択できる仕組みを設けても良い。）ＴＶの場合は、放送スケジュールをＤＳＲＣの情報配信で報知すれば良い。
【００２６】
また、上述の車載器が奏する各種機能については、路車間通信システムとして実現することが考えられる。具体的には、請求項１６に記載の路車間通信システムは、車両の走行経路の近傍に設置された路上機と、請求項１〜請求項１５の何れかに記載の車載器と、を備え、前記路上機と前記車載器との間で、各種データを送受信可能に構成されている。
【発明を実施するための最良の形態】
【００２７】
以下、本発明が適用された実施形態について図面を用いて説明する。なお、本発明の実施の形態は、下記の実施形態に何ら限定されることなく、本発明の技術的範囲に属する限り種々の形態を採りうる。
【００２８】
［車載器１の説明］
本実施形態の車載器１について、図１を参照して説明する。図１は、車載器１、多機能ＩＣカード（以下、ＩＣカード）２、路上機３の概略構成を示す説明図である。
【００２９】
（車載器１及び路上機３について）
車載器１は、車両の走行経路の近傍に設置された路上機３との通信のために車両に搭載される路車間通信用の車載器であり、図１に示すように、無線部１１、電源部１２、全体制御部１３、ＩＣカード制御部１４、ＩＣカードコネクタ１５、記憶部１７、表示部１８、入力操作部１９、外部機器接続部２０、音声出力部２３を備えている。
【００３０】
無線部１１は、周知の通信回路及びアンテナによって構成されている。そして、路上機３との間で無線通信を実行する。
なお、路上機３は、例えば有料道路の料金所などに設置されたＥＴＣシステム用の料金決済（ＥＴＣ決済）用の路上機、そのＥＴＣ決済用の路上機よりも進行方向手前に設置された予告用の路上機、カード確認用の路上機、あるいは駐車場の出口などに設置されたクレジット決済用の路上機などであり、周知の通信回路及びアンテナによって構成され、車載器１との間で無線通信を実行する無線部３１と、路上機３の各部を制御する制御部３２とを備えている。
【００３１】
予告用の路上機やカード確認用の路上機は、それぞれ、ＥＴＣシステムにおける「予告アンテナ」、「お知らせアンテナ」などと呼ばれている。予告用の路上機はＥＴＣ車線の利用可否を案内するものであり、カード確認用の路上機は、ＥＴＣカードの挿入忘れに対する注意喚起をするためのものである。また、駐車場の出口などに設置されたクレジット決済用の路上機は、駐車料金をクレジットカードによって決済するための路上機である。
【００３２】
これら料金決済用の路上機、予告用の路上機、カード確認用の路上機、クレジット決済用の路上機は、路上機としての基本的な構成（制御部と無線部等を備える。）は同じであるため、路上機としては同じ符号を付す。そして、修飾説明によって区別することとする。つまり、ＥＴＣ決済用の路上機３、予告用の路上機３、カード確認用の路上機３、クレジット決済用の路上機３と表す。
【００３３】
そして、路上機３は、報知情報を記憶する機能、および記憶する報知情報を送信する機能を有する。この報知情報には、図２（ａ）に例示するように、情報カテゴリ、情報提供回数（報知回数）、通知内容（報知内容）および通知要件（報知要件）が含まれている。このうち通知内容とは、ユーザにとって有益な案内情報やユーザに注意を喚起する情報であり、例えば、経路上店舗で「１５：００〜１６：００」にタイムサービスを行っている旨を示す案内情報や、「１３：３０から特定のＳＡ／ＰＡのちびっこ広場にアクション仮面が来るよ！」といった催し物が開催される旨を示す案内情報、「ＥＴＣカードが挿入されていません」といったＥＴＣカードが挿入されていないことを知らせる旨の情報などが挙げられる。また、情報カテゴリには、報知情報の対象と示し、一般や子供向け、大人向け、安心、安全、車両制御などといった種別が挙げられる。また、情報提供回数は、通知内容を報知する制限回数を示す情報を云う。また、通知要件とは、上述の通知内容を報知するための条件であり、情報有効期間（報知時刻情報）、情報提供位置（報知位置情報）および車両状態（車両状態情報）が含まれている。情報有効期間には、開始時間および終了時間が含まれる。また、情報提供位置には、緯度経度およびエリア半径が含まれる。また、車両状態には、イグニッションの状態やＥＴＣカードの挿入の有無、天気などが挙げられる。
【００３４】
電源部１２は、図示しない車載バッテリと接続されており、車載器１内の各部に対して電源供給を行うためのものである。
記憶部１７は、記憶・読み出し可能な周知のフラッシュメモリ等の不揮発性メモリで構成されており、無線部１１が受信した上述の報知情報を記憶可能である。なお、記憶部１７の記憶内容については、全体制御部１３によって更新される（図２（ｂ）参照）。
【００３５】
全体制御部１３は、図示しない周知のＣＰＵ，ＲＯＭ，ＲＡＭ，入出力回路であるＩ／Ｏおよびこれらの構成を接続するバスライン、入力操作からの信号の処理を行なう信号処理回路、表示部１８を制御するための信号出力回路等を備えている。ＣＰＵは、ＲＯＭおよびＲＡＭに記憶された制御プログラムおよびデータにより制御を行なう。ＲＯＭは、プログラム格納領域とデータ記憶領域とを有している。プログラム格納領域には制御プログラムが格納され、データ記憶領域には制御プログラムの動作に必要なデータが格納されている。また、制御プログラムは、ＲＡＭ上にてワークメモリを作業領域とする形で動作する。
【００３６】
そして全体制御部１３は、無線部１１、ＩＣカード制御部１４、記憶部１７、表示部１８、入力操作部１９、外部機器接続部２０、音声出力部２３と接続されており、無線部１１にて受信した受信信号を信号処理によって受信データに変換したり、送信データを信号処理によって送信信号へ変換したり、送受信データや記憶部１７から読み出したデータ等を基にして演算処理を行い、ＥＴＣ車載器の初期設定処理（セットアップ情報の書き込み処理）や、ＥＴＣシステムにおける料金収受処理、ユーザ注意喚起処理（図４参照）、報知情報保存処理（図５参照）等を実行する。なお、上述のＥＴＣ車載器の初期設定処理およびＥＴＣシステムにおける料金収受処理については公知技術に従っているのでここではその詳細な説明は省略する。また、ユーザ注意喚起処理および報知情報保存処理については後述する。また、ＩＣカード制御部１４を介して入力したＩＣカードの情報（ＥＴＣ決済処理に必要な情報）を用いて各種処理を実行する。
【００３７】
また、全体制御部１３は、図示しないイグニッションスイッチのオン・オフ状態を検知可能に構成されている。
また、全体制御部１３は、路上機３からの報知情報に含まれる通知内容および通知内容と現在状況情報とに基づき、記憶部１７が記憶する報知情報を報知するための報知条件が成立しているか否かを判断し、報知条件が成立していると判断された場合には、表示部１８および音声出力部２３を制御して報知情報を報知させる機能を有する。
【００３８】
ＩＣカード制御部１４は、ＩＣカード２の情報をＩＣカードコネクタ１５を介して読み取ったり書き込んだりする処理を行う、いわゆるカードリーダライタ機能を有している。
ＩＣカードコネクタ１５は、ＩＣカード２を挿抜可能に構成されており、ＩＣカード制御部１４は、ＩＣカード２をＩＣカードコネクタ１５に挿入したことや、ＩＣカードコネクタ１５からＩＣカード２が引き抜かれたことを検知することができるように構成されている。
【００３９】
表示部１８および音声出力部２３は、機器の状態やＥＴＣシステムにおける料金決済などの情報などをユーザに報知するためのものである。また、スピーカ２３ａは音声出力部２３によって再生された音声を放音する機能を有する。
【００４０】
入力操作部１９は、各種ボタン等を備え、ユーザが各種操作指示やデータ入力するために用いられるものである。
外部機器接続部２０は、例えばナビゲーション装置などの車両に搭載された他の外部機器５と接続して、データ通信を行うためのものであり、車両の現在状況を示す現在状況情報を外部機器５から取得可能である。なお、上述の現在状況情報には、現在時刻を示す現在時刻情報、車両の現在位置を示す現在位置情報、および車両の現在の状態を示す現在状態情報が含まれる。
【００４１】
（ＩＣカード２について）
次に、ＩＣカード２について説明する。
ＩＣカード２には、情報を記憶・読み出し可能な不揮発メモリで構成される記憶部２２、車載器１のＩＣカードコネクタ１５を介してＩＣカード制御部１４との間でデータのやり取りを行ったり記憶部２２を制御したりする制御部２１などを備えている。
【００４２】
記憶部２２には、ＥＴＣ決済処理や駐車場決済処理などを含む複数のアプリケーション処理のためのプログラムが記憶されている。つまり、本ＩＣカード２は、例えば従前ＥＴＣカードと称されているＩＣカードが備えているＥＴＣ決済機能に加えて、クレジットカードと称されているＩＣカードが備えているクレジット決済機能など複数の機能を１つのＩＣカードにまとめたような、いわゆる多機能ＩＣカードと称されるものである。
【００４３】
また、記憶部２２には、クレジットにおける契約の有効期限等を含む契約情報、有料道路の利用料金を引き落とすための決済情報なども記憶されている。また、この記憶部２２には、ＩＣカード２を特定するためのＩＣカード識別情報（カードＩＤ）も予め記憶されている。
【００４４】
例えばＥＴＣ決済処理を実行する際には、このＩＣカード２から読み出した情報は、車両が料金所ゲートを通過する際に、路上機３へ車載器情報の一部として送信され、この応答として返信されてきたゲート通過時刻、料金所ゲートを特定するためのゲート番号等の料金所情報、車両の車種等の利用履歴情報が記憶部２２に記憶される。
【００４５】
車載器１にＩＣカード２が装着されると、ＩＣカード内部の情報が車載器１に読み込まれる。この情報は、無線通信時に車載器１に予め登録されている車両の情報と共に車載器情報として送信される。車載器１は、有料道路の料金所の入口あるいは出口に設置されている料金決済用の路上機３と無線通信を行ない通行料金の算出を行なう。
【００４６】
一方、上述した予告用の路上機３と無線通信した場合には、その予告用の路上機３から入手した情報に基づき、表示部１８や音声出力部２３、スピーカ２３ａを介してＥＴＣ車線の利用可否を利用者へ案内する。また、カード確認用の路上機３と無線通信した場合には、カード確認用の路上機３へカード情報を送信する。
【００４７】
また、駐車場の出口などに設置されたクレジット決済用の路上機３と無線通信した場合には、クレジット決済用の路上機３からの指示に従い、車載器１はＩＣカード２からクレジット決済に必要なカード情報を取得する。読み出したカード情報を無線通信によってクレジット決済用の路上機に送信し、クレジット決済処理を行う。
【００４８】
なお、無線部１１は受信手段に該当する。また、記憶部１７は不揮発性メモリに該当する。また、全体制御部１３は判断手段、報知制御手段、第一の記憶制御手段、第二の記憶制御手段、第三の記憶制御手段および第四の記憶制御手段に該当する。また、ＩＣカード制御部１４はカード種別判断手段に該当する。また、ＩＣカードコネクタ１５はカード挿入部に該当する。また、表示部１８、音声出力部２３およびスピーカ２３ａは報知手段に該当する。また、外部機器接続部２０は現在状況情報取得手段に該当する。
【００４９】
［ユーザ注意喚起処理の説明］
次に、車載器１の全体制御部１３が実行するユーザ注意喚起処理を図４のフローチャートを参照して説明する。
【００５０】
本処理は車載器１に電源供給された場合に他の処理からは独立して実行される。
まず、路上機３からの報知情報を無線部１１を介して受信する（ステップＳ１１０）。
続いて、受信した報知情報に含まれる情報有効期間を参照して、その報知情報が有効期限前であるか否かを判断する（Ｓ１２０）。報知情報が有効期限前ではない、すなわち報知情報の有効期限が終了していると判断された場合には（Ｓ１２０：ＮＯ）、その報知情報を破棄し（Ｓ１８０）、Ｓ１１０に戻る。一方、報知情報が有効期限前であると判断された場合には（Ｓ１２０：ＹＥＳ）、Ｓ１３０に移行する。
【００５１】
続くＳ１３０では、受信した報知情報に含まれる情報提供位置を参照して、車両の現在位置を示す情報に基づき、車両が情報提供エリア内に存在するか否かを判断する（Ｓ１３０、図３参照）。車両が情報提供エリア内には存在しないと判断された場合には（Ｓ１３０：ＮＯ）、その報知情報を破棄し（Ｓ１８０）、Ｓ１１０に戻る。一方、車両が情報提供エリア内に存在すると判断された場合には（Ｓ１３０：ＹＥＳ）、Ｓ１４０に移行する。
【００５２】
続くＳ１４０では、車両から取得した車両状態情報を参照して、ＡＣＣがオフからオンへ変更されたか否かを判断する（Ｓ１４０）。ＡＣＣがオフからオンへ変更されていないと判断された場合には（Ｓ１４０：ＮＯ）、その報知情報を破棄し（Ｓ１８０）、Ｓ１１０に戻る。一方、ＡＣＣがオフからオンへ変更されたと判断された場合には（Ｓ１４０：ＹＥＳ）、Ｓ１５０に移行する。
【００５３】
続くＳ１５０では、ＥＴＣカードが挿入されているか否かを判断する（Ｓ１５０）。ＥＴＣカードが挿入されていると判断された場合には（Ｓ１５０：ＹＥＳ）、その報知情報を破棄し（Ｓ１８０）、Ｓ１１０に戻る。一方、ＥＴＣカードが挿入されていないと判断された場合には（Ｓ１５０：ＮＯ）、Ｓ１６０に移行する。
【００５４】
続くＳ１６０では、先に受信した報知情報が、予め設定されたカテゴリー（条件）の情報か否かを判断する（Ｓ１６０）。具体的には、無線部１１が路上機３から受信した「報知情報」に含まれる「通知内容」および「通知内容」と外部機器接続部２０が外部機器５などから取得した「現在状況情報」とに基づき、記憶部１７が記憶する報知情報を報知するための報知条件が成立しているか否かを判断する。より具体的には、イグニッションの状態がオンからオフになった場合に報知条件が成立したと判断する。報知情報が予め設定されたカテゴリー（条件）の情報ではないと判断された場合には（Ｓ１６０：ＮＯ）、その報知情報を破棄し（Ｓ１８０）、Ｓ１１０に戻る。一方、報知情報が予め設定されたカテゴリー（条件）の情報であると判断された場合には（Ｓ１６０：ＹＥＳ）、表示部１８および音声出力部２３を制御して報知情報を報知することでユーザへの注意喚起や情報提供を実行する（Ｓ１７０）。そして、その報知情報を破棄し（Ｓ１８０）、Ｓ１１０に戻る。
【００５５】
［報知情報保存処理の説明］
次に、車載器１の全体制御部１３が実行する報知情報保存処理を図５のフローチャートを参照して説明する。
【００５６】
本処理は車載器１に電源供給された場合に他の処理からは独立して実行される。
まず、路上機３の報知情報を無線部１１を介して受信する（ステップＳ２１０）。
続いて、受信した報知情報に含まれる情報有効期間を参照して、その報知情報を即時保存すべきか否かを判断する（Ｓ２２０）。具体的には、報知情報に含まれる情報有効期間を参照して、終了時間が経過している場合にはその報知情報を即時保存しないと判断する。報知情報を即時保存すべきと判断された場合には（Ｓ２２０：ＹＥＳ）、後述するＳ２５０へ移行する。一方、報知情報を即時保存しないと判断された場合には（Ｓ２２０：ＮＯ）、Ｓ２３０へ移行する。
【００５７】
続くＳ２３０では、車両から取得した車両状態情報を参照して、ＡＣＣがオフであるか否かを判断する（Ｓ２３０）。ＡＣＣがオフではないと判断された場合には（Ｓ２３０：ＮＯ）、後述するＳ２６０へ移行する。一方、ＡＣＣがオフであると判断された場合には（Ｓ２３０：ＹＥＳ）、Ｓ２４０に移行する。
【００５８】
続くＳ２４０では、車両状態の条件が成立しているか否かを判断する（Ｓ２４０）。この場合、車両のイグニッションの状態がオフからオンになった場合に条件成立と判断する。車両状態の条件が成立していないと判断された場合には（Ｓ２４０：ＮＯ）、後述するＳ２６０へ移行する。一方、車両状態の条件が成立していると判断された場合には（Ｓ２４０：ＹＥＳ）、報知情報を記憶部１７へ保存し（Ｓ２５０）、Ｓ２６０へ移行する。
【００５９】
続くＳ２６０では、車両の現在位置が、情報提供エリアから一定距離以上離れているか否かを判断する（Ｓ２６０）。車両の現在位置が情報提供エリアから一定距離以上離れていると判断された場合には（Ｓ２６０：ＹＥＳ）、不要な報知情報を記憶部１７から破棄する（Ｓ２９０）。そして、Ｓ２１０へ戻る。一方、車両の現在位置が情報提供エリアから一定距離以上離れていないと判断された場合には（Ｓ２６０：ＮＯ）、Ｓ２７０へ移行する。
【００６０】
続くＳ２７０では、報知情報を通知した回数が、報知情報の情報提供回数以上であるか否かを判断する（Ｓ２７０）。報知情報を通知した回数が、報知情報の情報提供回数以上ではないと判断された場合には（Ｓ２７０：ＮＯ）、Ｓ２１０へ戻る。一方、報知情報を通知した回数が、報知情報の情報提供回数以上であると判断された場合には（Ｓ２７０：ＹＥＳ）、Ｓ２８０へ移行する。
【００６１】
続くＳ２８０では、記憶部１７の記憶内容の中に有効期限が切れている報知情報が存在するか否かを判断する（Ｓ２８０）。具体的には、記憶部１７が記憶する報知情報に含まれる情報提供回数を参照して、情報提供回数以上報知された報知情報があるか否かを判断する。記憶部１７の記憶内容の中に有効期限が切れている報知情報が存在しないと判断された場合には（Ｓ２８０：ＮＯ）、Ｓ２１０へ戻る。一方、記憶部１７の記憶内容の中に有効期限が切れている報知情報が存在すると判断された場合には（Ｓ２８０：ＹＥＳ）、不要な報知情報を記憶部１７から破棄する（Ｓ２９０）。そして、Ｓ２１０へ戻る。
【００６２】
［第一実施形態の効果］
（１）このように第一実施形態の車載器１によれば、次のような作用効果を奏する。すなわち、無線部１１が、路上機３から送信された報知情報を受信可能であり、記憶部１７が、無線部１１が受信した報知情報を記憶可能であり、表示部１８および音声出力部２３が報知情報を報知可能である。ユーザ注意喚起処理においては、全体制御部１３が、路上機３からの報知情報に含まれる通知内容および通知内容と現在状況情報とに基づき、記憶部１７が記憶する報知情報を報知するための報知条件が成立しているか否かを判断する（Ｓ１６０）。報知条件が成立していると判断された場合には（Ｓ１６０：ＹＥＳ）、全体制御部１３が、表示部１８および音声出力部２３を制御して報知情報を報知させる（Ｓ１７０）。このことにより、例えばＳＡ／ＰＡの入口付近などの道路上に路上機を少数設置すれば、多数の各種アンテナ（路上機）を道路上に設置しなくても、走行中でのユーザによる操作を誘発することなく、ユーザにとって有用な情報を提供することができる。
【００６３】
（２）また、第一実施形態の車載器１によれば、ユーザ注意喚起処理のＳ１６０において、車両のイグニッションの状態がオンからオフになった場合に報知条件が成立したと判断し、表示部１８および音声出力部２３を制御して報知情報を報知させる（Ｓ１７０）。このことにより、ユーザへの注意喚起だけでなく、ＳＡ／ＰＡ毎のサービス情報の提供にも使用することができる。つまり、予め得られる情報に表示時間を限定するようなパラメータを用意すれば、時間限定のタイムサービスなどの情報提供も可能となる。
【００６４】
（３）また、第一実施形態の車載器１によれば、通知要件には、少なくとも情報有効期間（報知時刻情報）、情報提供位置（報知位置情報）および車両状態（車両状態情報）が含まれ、現在状況情報には、現在時刻情報、現在位置情報および現在状態情報が含まれており、上述の通知要件の「車両状態」にイグニッションの状態が含まれる。
【００６５】
このようにすれば、次のような作用効果を奏する。すなわち、上述の通知要件の「時刻」に、報知情報をユーザへ報知すべき時間帯や報知開始時間、報知停止時間を含めることで、意図しないタイミングでのユーザへの通知を排除することができる。例えば、経路上店舗で「１５：００〜１６：００」にタイムサービスを行っている場合に、通知すべき時間帯として「１４：３０〜１６：００」と設定すれば、時刻「１２：００」に当該地域に車両が進入した場合にはユーザへの無駄な通知を回避できる。また、時刻「１６：１０」に当該地域に車両が進入した場合などのタイムサービス終了後の無駄な通知を回避することができる。なお、時刻は「夜間」とかの時間帯の表現形式を変えたものであっても良い。また、上述の通知要件の「車両状態」にイグニッションの状態を含めることで、車両状態に合わせて適切にユーザ通知を行うことができる。
【００６６】
（４）また、第一実施形態の車載器１によれば、報知情報保存処理において、車両状態の条件が成立しているか否かを判断し（Ｓ２４０）、車両状態の条件が成立していると判断された場合には（Ｓ２４０：ＹＥＳ）、報知情報を記憶部１７へ保存する（Ｓ２５０）。このことにより、不揮発性メモリとしての記憶部１７が有限であるためにその情報保存量には限界があるが、報知情報のうち優先度の高いものを保存し、優先度の低いものから破棄することができる。例えば、「雨を検知した場合」に記憶部１７に保存とすれば、雨天のみの情報を有効に保存することができる。また、「現在高速道路上に位置する場合」「入口でＥＴＣを利用した場合」等を記憶部１７への保存条件とすれば、高速道路上にいないユーザやＥＴＣを使っていないユーザなどがＥＴＣに関連する無駄な情報を保持することを回避することができる。
【００６７】
（５）また、第一実施形態の車載器１によれば、報知情報保存処理のＳ２４０において、車両のイグニッションの状態がオフからオンになった場合に報知条件が成立したと判断する。つまり、事前にユーザに通知すべき情報を蓄積しておき、情報提供エリアに入ったことのみをトリガにユーザへの通知を行うのではなく、ＡＣＣオンやパーキングブレーキを戻す操作等のユーザ操作をトリガに、カードの有無を検出し、カードが無い場合にユーザへの注意喚起を行う。また、車両を始動しようとした際に、発進前に予めユーザへ通知する。例えば、サービスエリアで休憩する際に、カードを抜いて車両から離れた場合に、車に戻ってもカード挿入を忘れないように、注意喚起をすることができる。なおこの場合には、発進前の安全な状態でカード挿入を促すことができる。なお、この他にも報知条件を設定し、車両のイグニッションの状態がオフからオンになった場合に報知条件の一部が成立したと判断してもよい。このことにより、ユーザが出発する意図がある時にのみ、注意喚起を行うことができ、煩わしさの防止・危険操作の防止を図ることができる。また、事前に情報を得るため、事前に複数の情報を蓄積することができ、ＳＡ／ＰＡ毎にいわゆる「予告アンテナ」や「お知らせアンテナ」などの各種アンテナを設置する必要がなく、したがって、情報提供用の路上機３の設置数を低減できる。
【００６８】
また、上述の報知情報は記憶部１７に保存されるため、ＡＣＣオフ／オン後でも上記要件が成立した場合には、ユーザへの通知（注意喚起・情報提供）を行うことができる。なお、記憶部１７への報知情報の保存については、報知情報を受信する毎にその都度保存を実行するようにしても良いし、ＡＣＣオフ等の当該車載器１の電源がオフとなったことを検知した場合に保存を実行するようにしても良い。また、路上機３から記憶部１７へ保存の実行タイミングを指定する仕組みとしても良い。
【００６９】
（６）また、第一実施形態の車載器１によれば、ユーザ注意喚起処理のＳ１１０において、受信した報知情報に含まれる情報有効期間を参照して、その報知情報が有効期限前であるか否かを判断し（Ｓ１２０）、報知情報が有効期限前ではない、すなわち報知情報の有効期限が終了していると判断された場合には（Ｓ１２０：ＮＯ）、その報知情報を破棄する（Ｓ１８０）。このことにより、報知情報を記憶するためのメモリ容量を軽減することができる。また、路上機３から報知される情報に有効期限を設けることで、不要となった情報を破棄することができる。
【００７０】
（７）また、第一実施形態の車載器１によれば、報知情報保存処理のＳ２８０において、記憶部１７の記憶内容の中に有効期限が切れている報知情報が存在するか否かを判断し（Ｓ２８０）、記憶部１７の記憶内容の中に有効期限が切れている報知情報が存在すると判断された場合には（Ｓ２８０：ＹＥＳ）、不要な報知情報を記憶部１７から破棄する（Ｓ２９０）。なお、上述の判断については、記憶部１７が記憶する報知情報に含まれる情報提供回数を参照して、情報提供回数以上報知された報知情報があるか否かを判断するが、その情報提供回数については、路上機３から車載器１に通知してもよいし、車載器１にて予め設定したり、情報の重要度に合わせて設定したりしてもよい。このことにより、有効期限に関係なく情報の管理を行うことができる。また、報知情報を記憶するためのメモリ容量を軽減することができる。
【００７１】
（８）また、第一実施形態の車載器１によれば、ユーザ注意喚起処理のＳ１３０において、受信した報知情報に含まれる情報提供位置を参照して、車両の現在位置を示す情報に基づき、車両が情報提供エリア内に存在するか否かを判断し（Ｓ１３０、図３参照）、車両が情報提供エリア内には存在しないと判断された場合には（Ｓ１３０：ＮＯ）、その報知情報を破棄する（Ｓ１８０）。このことにより、報知情報を記憶するためのメモリ容量を軽減することができる。
【００７２】
（９）また、第一実施形態の車載器１によれば、ユーザ注意喚起処理のＳ１５０において、ＥＴＣカードが挿入されているか否かを判断し（Ｓ１５０）、ＥＴＣカードが挿入されていると判断された場合には（Ｓ１５０：ＹＥＳ）、その報知情報の通知内容がＥＴＣカードを挿入するよう促す旨の情報であるときにはその報知情報を破棄する（Ｓ１８０）。一例を挙げると、その報知情報の通知内容がＥＴＣカードを挿入するよう促す旨の情報であるときには、ＥＴＣカードが挿入されていると判断された場合に（Ｓ１５０：ＹＥＳ）、その報知情報を破棄し（Ｓ１８０）、一方、ＥＴＣカードが挿入されていないと判断された場合には（Ｓ１５０：ＮＯ）、Ｓ１６０が肯定判断であることを条件に、ＥＴＣカードを挿入するよう促す旨の情報を、表示部１８および音声出力部２３を制御して報知することでユーザへの注意喚起や情報提供を実行する（Ｓ１７０）。このことにより、当該車載器１に挿入されているカードがＥＴＣを利用できない「ＤＳＲＣカード」の場合に、例えば「ＤＳＲＣCカードが入っているので、ＥＴＣカード入れて下さい」などと通知することで、ＥＴＣを利用するよう促すことも可能である。
【００７３】
この場合、高速道路（有料道路）の入口でＥＴＣゲートを使用したことを記憶しておくことを組み合わせれば、ＥＴＣを利用しないユーザへの意図しない注意喚起を防止することも可能である。
【００７４】
［他の実施形態］
（１）上記実施形態では、通知要件には、少なくとも情報有効期間（報知時刻情報）、情報提供位置（報知位置情報）および車両状態（車両状態情報）が含まれ、現在状況情報には、現在時刻情報、現在位置情報および現在状態情報が含まれるが、これには限られず、上述の通知要件に、車両状態が含まれずに情報有効期間（報知時刻情報）および情報提供位置（報知位置情報）が含まれ、現在状況情報に、現在状態情報が含まれずに現在時刻情報および現在位置情報が含まれるようにしてもよい。
【００７５】
（２）上記第一実施形態の車載器１では、通知要件の「車両状態」にはイグニッションの状態が含まれるが、これには限られず、車両状態として他のものを挙げてもよい。一例を挙げると、照度計、気圧計、温度計、雨センサ、ワイパー、ウインカー、ライト、ハンドル操舵角、速度、シフトレバー、フットブレーキ、サイドブレーキ、タイヤ空気圧、エアコンスイッチ、路面センサなどの各種センサ情報、過去のＥＴＣゲート通過履歴、等などである。このようにしても、車両状態に合わせて適切にユーザ通知を行うことができる。例えば、「ライトがオフの時」にのみ通知という要件を路側から報知した場合、トンネルの入口付近で、特定時間帯でライトがオフの時に「ライトをオンにしてください」などのユーザへの通知（注意喚起・情報提供）を行うことができる。また、「雨を検知した場合で、速度が一定以上で、ハンドルが一定以上きられた時」に通知という要件を路側から報知した場合、雨天の走行上危険な場合にのみ通知を行うことができる。さらに、「現在高速道路上に位置し、入口でＥＴＣを利用した場合」かつ「イグニッションをオンした場合」かつ「ＥＴＣカードが挿入されていない場合」に通知という要件を路側から報知した場合、ＥＴＣカードの挿入忘れを適切に通知することができる。
【００７６】
（３）また、車両の速度が所定値以下である場合に報知情報を報知するようにしてもよい。具体的には、ユーザ注意喚起処理のＳ１６０において、先に受信した報知情報が、予め設定されたカテゴリー（条件）の情報か否かを判断する際に（Ｓ１６０）、外部機器接続部２０が現在状況情報として外部機器５から取得した車速値が所定値以下である場合に報知条件が成立したと判断する。報知情報が予め設定されたカテゴリー（条件）の情報であると判断された場合には（Ｓ１６０：ＹＥＳ）、表示部１８および音声出力部２３を制御して報知情報を報知することでユーザへの注意喚起や情報提供を実行する（Ｓ１７０）。なお、この他にも報知条件を設定し、車速値が所定値以下である場合に報知条件の一部が成立したと判断してもよい。このようにすれば、走行中でもより安全な状態でのユーザ操作を促すことが可能となる。
【００７７】
（４）また、一般道で受信した報知情報を高速道路に入る前に報知するようにしてもよい。具体的には、路上機３が送信する報知情報にその送信元である路上機３の設置場所を示す設置場所情報を含むようにし、ユーザ注意喚起処理のＳ１６０において、先に受信した報知情報が、予め設定されたカテゴリー（条件）の情報か否かを判断する際に（Ｓ１６０）、報知情報に含まれる設置場所情報を参照して、地図情報などに基づき、その路上機３の設置場所が一般道または側道である場合に報知条件が成立したと判断する。報知情報が予め設定されたカテゴリー（条件）の情報であると判断された場合には（Ｓ１６０：ＹＥＳ）、表示部１８および音声出力部２３を制御して報知情報を報知することでユーザへの注意喚起や情報提供を実行する（Ｓ１７０）。なお、この他にも報知条件を設定し、路上機３の設置場所が一般道または側道である場合に報知条件の一部が成立したと判断してもよい。このようにすれば、報知条件が成立した場合に全体制御部１３が表示部１８および音声出力部２３を制御して報知情報を報知することができ、例えば一般道への「予告アンテナ」や「お知らせアンテナ」の電波漏れによる誤通知を防止したり、情報提供用の路上機３の設置数を低減したりすることに貢献できる。
【００７８】
（５）また、路上機３から送信される報知情報に対し、その通信や次回通信で詳細情報を路側に要求するようにしてもよい。具体的には、ユーザ注意喚起処理のＳ１１０にて、路上機３からの報知情報を無線部１１を介して受信した際に（Ｓ１１０）、全体制御部１３が、その報知情報に関連する関連情報を送信するよう要求する旨を、無線部１１を制御して、その報知情報の送信元である路上機３に対して送信させる。なお、上述の関連情報には、報知情報に関するより詳細な情報も含まれる。この場合、無線部１１および全体制御部１３は送信手段に該当する。このようにすれば、ユーザへの通知（注意喚起・情報提供）情報の詳細を路上機３から受信して報知することで、よりきめ細やかなサービスを提供することができる。
【００７９】
（６）上記第一実施形態の車載器１では、ユーザ注意喚起処理において、報知情報が予め設定されたカテゴリー（条件）の情報であると判断された場合には（Ｓ１６０：ＹＥＳ）、表示部１８および音声出力部２３を制御して報知情報を報知することでユーザへの注意喚起や情報提供を実行するが（Ｓ１７０）、これには限られず、上述の報知情報を他メディアを使用してユーザに報知してもよい。一例を挙げると、全体制御部１３が、ＡＭラジオ、ＦＭラジオ、ＴＶ、車両機器等のデバイス制御を行って上述の報知情報をユーザに報知するといった具合である。このようにすれば、例えばＤＳＲＣ（ＶＩＣＳ）の情報配信（蓄積情報）については予め他メディアへのリンクのポータル情報を提供することで、当該メディアへのジャンプを可能とする。例えば、高速道路走行中に、ＡＭラジオによる高速道路情報（１６２０Ｈｚ）の放送区域がある場合は、その情報をＤＳＲＣであらかじめ配信する。放送区域内に車両が進入した場合に、ＡＭラジオをオンし、当該チャネルへのチューニングを行うことで、ユーザに放送を聞かせることができ、利便性の向上につながる。また、放送のタイミングをタグ情報（時間指定）として提供することで、上り・下り車線のみの情報等ユーザが必要とする情報のみに限定して、ユーザに聞かせることができる。（当然ながら、ユーザに常に聞かせるか否かは選択できる仕組みを設けても良い。）ＴＶの場合は、放送スケジュールをＤＳＲＣの情報配信で報知すれば良い。
【００８０】
（７）また、報知情報に含まれる情報カテゴリの種別に応じて、予め設定した情報カテゴリの種別である報知情報のみをユーザに対して報知するようにしてもよい。このようにすれば、よりきめ細やかなサービスを提供することができる。
【図面の簡単な説明】
【００８１】
【図１】車載器１、ＩＣカード２、路上機３の概略構成を示す説明図である。
【図２】車載器が記憶するテーブルを示す説明図であり、（ａ）は路側から報知される情報に関するテーブルであり、（ｂ）は車載器に蓄積された情報に関するテーブルである。
【図３】（ａ）は車両と情報提供エリアとの位置関係を示す説明図（１）であり、（ｂ）は車両と情報提供エリアとの位置関係を示す説明図（２）である。
【図４】ユーザ注意喚起処理のフローチャートである。
【図５】報知情報保存処理のフローチャートである。
【符号の説明】
【００８２】
１…車載器、２…ＩＣカード、３…路上機、５…外部機器、１１…無線部、１２…電源部、１３…全体制御部、１４…ＩＣカード制御部、１５…ＩＣカードコネクタ、１７…記憶部、１８…表示部、１９…入力操作部、２０…外部機器接続部、２１…制御部、２２…記憶部、２３…音声出力部、２３ａ…スピーカ、３１…無線部、３２…制御部
【図１】
2008158887.tif 000003
【図２】
2008158887.tif 000004
【図４】
2008158887.tif 000005
【図５】
2008158887.tif 000006
【図３】
2008158887.tif 000007